(57)【特許請求の範囲】
【請求項１】
取付基体に設けた取付孔において物品をその取付面に対し相対的に傾斜した状態で取付固定する取付構造であって、該物品には該取付基体の表側に位置する表側部材と、裏側に位置する裏側部材とを具備させるとともに、それら表側部材と裏側部材とのそれぞれに傾斜した着座面を形成してそれら着座面を該取付基体における表側の取付面と裏面とに着座させた状態で該表側部材と裏側部材とをねじ締結具によって、前記取付面に対し前記相対的に傾斜した方向に締め付けて前記物品を前記取付基体に取付固定する物品の取付構造において、
前記ねじ締結具の締付力に起因して前記表側部材及び裏側部材の少なくとも一方の、前記取付面又は裏面に沿ったスライド運動を、該スライド方向の当接によって阻止するストッパを、前記表側部材、前記裏側部材及び前記取付基体の何れかに設けたことを特徴とする物品の取付構造。
【請求項２】
請求項１において、前記ストッパを前記表側部材の着座面、前記裏側部材の着座面、前記取付基体の表側の取付面及び該取付基体の裏面の何れかに設けたことを特徴とする物品の取付構造。
【請求項３】
請求項１，２の何れかにおいて、前記ストッパが前記表側部材又は裏側部材に一体構成で若しくは別体構成で設けられ、前記取付孔の内縁に当接するものであることを特徴とする物品の取付構造。
【請求項４】
請求項１，２の何れかにおいて、前記ストッパが前記表側部材及び裏側部材の一方に一体構成で又は別体構成で設けられ、他方に対して前記スライド方向に当接するものであることを特徴とする物品の取付構造。
【請求項５】
請求項１，２の何れかにおいて、前記ストッパが前記取付基体に一体構成又は別体構成で設けられ、前記表側部材又は裏側部材に対して前記スライド方向に当接するものであることを特徴とする物品の取付構造。
【請求項６】
請求項１において、前記ストッパが前記表側部材又は裏側部材に一体構成又は別体構成で設けられ、前記取付基体の前記取付孔以外の箇所に設けた被当接部に対して当接するものであることを特徴とする物品の取付構造。
【請求項７】
請求項１〜６において、前記物品が水栓の吐水部であることを特徴とする物品の取付構造。
【請求項８】
請求項７において、前記吐水部が、ホースとともに昇降可能な吐水ヘッドと、該吐水ヘッドを保持するホルダとを含んでいるとともに、前記取付基体に固定された筒部材内に且つ該吐水ヘッドとともに昇降摺動可能に挿通されたスライド管とを含んでいることを特徴とする物品の取付構造。
【発明の詳細な説明】
【０００１】
【発明の属する技術分野】
この発明は水栓の吐水部の取付けに適用して好適な物品の取付構造に関する。
【０００２】
【従来の技術】
従来、可撓性のホースとともに引出し可能なシャワーヘッド（吐水ヘッド）を有し、カウンター等取付基体上に突出する状態で設けられた吐水部と、取付基体上に突出する状態で設けられた水栓本体とを有し、シャワーヘッドに接続されたホースが取付基体の下側空間を延びて水栓本体に接続された形態のシャワー水栓設備が公知である。
【０００３】
図１４はその一例を示したものである。
この図において２００はシャワー水栓設備における吐水部で、取付基体としてのカウンター２０２の上面に起立する状態で設けられている。
吐水部２００はシャワーヘッド２０４と、これを保持する湾曲形状の管状のホルダ２０６と、それらをカウンター２０２に取り付けるための台座ユニット２１４とを有している。
【０００４】
シャワーヘッド２０４は、その先端下面に吐水口２１０を有しており、その吐水口２１０から整流吐水又はシャワー吐水を行うようになっており、更にその前面には整流吐水からシャワー吐水に若しくはその逆に切替操作するための操作部２１２を有している。
このシャワーヘッド２０４には可撓性のホース２０８が接続されており、そのホース２０８とともにシャワーヘッド２０４がホルダ２０６から引出し可能とされている。
【０００５】
台座ユニット２１４はカウンター２０２の上面、即ち取付面２１８上に着座する台座２１６と、この台座２１６から取付孔２１９を下向きに挿通した円筒部材２２０と、その円筒部材２２０の外周面の雄ねじに螺合された締付ナット２２２とを有しており、それら台座２１６と締付ナット２２２とが三角パッキン２２４を介してカウンター２０２を上下両側から挟み込む状態にカウンター２０２に固定されている。
【０００６】
吐水部２００は、上記ホルダ２０６から下向きに延び出したスライド管２２６を有している。
このスライド管２２６はホルダ２０６とともに昇降する部材であって、図１５に示しているように台座ユニット２１４における円筒部材２２０内に昇降摺動可能に挿通されている。
そして更にこのスライド管２２６内に上記ホース２０８が移動可能に挿通されている。
【０００７】
２２７は吐水部２００と離隔した位置において且つ取付孔２２８において、三角パッキン２２４によるシール状態で締付ナット２２２によりカウンター２０２に取り付けられた水栓本体で、混合部２３０とハンドル２３２とを有している。
【０００８】
２３４はその水栓本体２２７に対して水，湯を供給するサプライ管で、これらサプライ管２３４を通じて供給された水と湯とが水栓本体２２７で混合され、流出管２３６を通じて流出する。そしてこの流出管２３６に接続されたホース２０８を通じてその混合水がシャワーヘッド２０４へと導かれる。
【０００９】
ところでカウンター２０２上面、特に吐水部２００近傍に降りかかった水を洗面ボウルやシンク等の水槽に流れ落ちるようにするために、カウンター２０２の一部を傾斜させ、その傾斜部に対して吐水部を取り付けるといったことが行われている。
この場合、吐水部２００をカウンター２０２の取付面２１８に対して相対的に傾いた状態に取り付けることとなる。そのための取付構造の一例が図１６に示してある。
【００１０】
ここではカウンター２０２の裏側にスペーサ（裏側部材）２３８を介設し、そのスペーサ２３８の着座面２４２及び台座２１６の着座面２４０のそれぞれを、スペーサ２３８及び台座２１６の軸心に対してカウンター２０２の傾斜角度に対応した角度の傾斜面となし、それら着座面２４２，２４０をカウンター２０２の裏面２４４及び取付面２１８に着座させた状態で、台座２１６と締付ナット２２２とによりスペーサ２３８を介してカウンター２０２を表裏両側から挟み込むようにして台座ユニット２１４の取付け、即ち吐水部２００の取付けを行うようにしている。
【００１１】
【発明が解決しようとする課題】
しかしながらこのようにして吐水部２００の取付けを行った場合、円筒部材２２０外周面の雄ねじと締付ナット２２２との締付力がカウンター２０２の取付面２１８に対して直角方向に働かず、これに対して相対的に傾いた方向に働くこととなるため、その締付力に起因して、即ちその締付力の分力によって台座２１６及びスペーサ２３８が、図中矢印で示すように取付面２１８，裏面２４４に沿ってスライド移動してしまうという問題が生じる。
【００１２】
而して台座２１６及びスペーサ２３８がこのようなスライド移動を起こしてしまうと、スライド管２２６に対して締付力が発生してしまい、このためスライド管２２６が円筒部材２２０内部を円滑に昇降摺動できなくなってしまうといった不都合が生ずる。
即ち吐水部２００を円滑に上昇移動及び下降移動させ得なくなってしまうといった不都合が生じる。
【００１３】
以上シャワー水栓設備の吐水部を例にとって説明したが、同様の問題は通常の水栓の吐水管の取付けに当って或いは上記水栓本体の取付けに当って、更には水栓以外の各種物品、例えばタオル掛とか手摺，棚，浴槽の循環口等、他の各種物品の取付けに際しても共通に生ずる問題である。
【００１４】
【課題を解決するための手段】
本発明の物品の取付構造は、このような課題を解決するために案出されたものである。
而して請求項１のものは、取付基体に設けた取付孔において物品をその取付面に対し相対的に傾斜した状態で取付固定する取付構造であって、該物品には該取付基体の表側に位置する表側部材と、裏側に位置する裏側部材とを具備させるとともに、それら表側部材と裏側部材とのそれぞれに傾斜した着座面を形成してそれら着座面を該取付基体における表側の取付面と裏面とに着座させた状態で該表側部材と裏側部材とをねじ締結具によって、前記取付面に対し前記相対的に傾斜した方向に締め付けて前記物品を前記取付基体に取付固定する物品の取付構造において、前記ねじ締結具の締付力に起因して前記表側部材及び裏側部材の少なくとも一方の、前記取付面又は裏面に沿ったスライド運動を、該スライド方向の当接によって阻止するストッパを、前記表側部材、前記裏側部材及び前記取付基体の何れかに設けたことを特徴とする。
【００１５】
請求項２のものは、請求項１において、前記ストッパを前記表側部材の着座面、前記裏側部材の着座面、前記取付基体の表側の取付面及び該取付基体の裏面の何れかに設けたことを特徴とする。
【００１６】
請求項３のものは、請求項１，２の何れかにおいて、前記ストッパが前記表側部材又は裏側部材に一体構成で若しくは別体構成で設けられ、前記取付孔の内縁に当接するものであることを特徴とする。
【００１７】
請求項４のものは、請求項１，２の何れかにおいて、前記ストッパが前記表側部材及び裏側部材の一方に一体構成で又は別体構成で設けられ、他方に対して前記スライド方向に当接するものであることを特徴とする。
【００１８】
請求項５のものは、請求項１，２の何れかにおいて、前記ストッパが前記取付基体に一体構成又は別体構成で設けられ、前記表側部材又は裏側部材に対して前記スライド方向に当接するものであることを特徴とする。
【００１９】
請求項６のものは、請求項１において、前記ストッパが前記表側部材又は裏側部材に一体構成又は別体構成で設けられ、前記取付基体の前記取付孔以外の箇所に設けた被当接部に対して当接するものであることを特徴とする。
【００２０】
請求項７のものは、請求項１〜６において、前記物品が水栓の吐水部であることを特徴とする。
【００２１】
請求項８のものは、請求項７において、前記吐水部が、ホースとともに昇降可能な吐水ヘッドと、該吐水ヘッドを保持するホルダとを含んでいるとともに、前記取付基体に固定された筒部材内に且つ該吐水ヘッドとともに昇降摺動可能に挿通されたスライド管とを含んでいることを特徴とする。
【００２２】
【作用及び発明の効果】
上記のように請求項１の取付構造は、ねじ締結具の締付力に起因して表側部材及び裏側部材の少なくとも一方の、取付面又は裏面に沿ったスライド移動を阻止するストッパを設けたもので、この取付構造によれば、取付面に対して相対的に傾斜した状態で取り付けられる物品を取付基体に対し良好に取付固定することができる。
【００２３】
この請求項１においては、表側部材及び裏側部材の何れをもストッパによってスライド阻止するように成しておくことができる。このようにすればより良好に所定の物品を取付基体に対し、相対的に傾斜した状態で取付固定することができる。
【００２４】
本発明においては上記ストッパを、表側部材の着座面、裏側部材の着座面、取付基体の表側の取付面及び取付基体の裏面の何れかに設けておくことができる（請求項２）。
【００２５】
本発明においてはまた、上記ストッパを、表側部材又は裏側部材に一体構成で設けられ、取付基体における取付孔の内縁に当接するものとなすことができる（請求項３）。
このようにすれば、取付孔を利用して効果的に表側部材又は裏側部材のスライド移動を阻止することができる。
【００２６】
本発明においてはまた、上記ストッパを、表側部材及び裏側部材の一方に一体構成又は別体構成で設けられ、他方に対してスライド方向に当接するものと成すことができる（請求項４）。
この請求項４のストッパは、表側部材と裏側部材とがそれぞれ互いに逆方向にスライド移動しようとする性質を利用し、表側部材と裏側部材とを互いにスライド方向にストッパを介して当接させるようになしたもので、このようにした場合、取付基体に対してスライド方向の力を及ぼすことなく、表側部材と裏側部材とでスライド方向の力を互いに相殺させることで良好に表側部材及び裏側部材のスライド移動を阻止し、物品を取付面に対し相対的に傾斜させた姿勢に良好に取付固定することができる。
【００２７】
本発明においてはまた、取付基体にストッパを一体構成又は別体構成で設け、そのストッパを表側部材又は裏側部材に対しスライド方向に当接させるようになすこともできる（請求項５）。
このようにした場合であっても、表側又は裏側部材の少なくとも何れか一方又は両方を、ねじ締結具の締付力に起因して取付面又は裏面に沿ってスライド移動するのを良好に阻止することができる。
【００２８】
本発明においてはまた、取付孔以外の個所において被当接部を取付基体に設け、その被当接部に対して表側部材又は裏側部材に設けたストッパを当接させることで、表側部材又は裏側部材のスライド移動を阻止することができる（請求項６）。
【００２９】
上記説明から明らかなように、本発明は水栓の吐水部の取付けに適用して特に好適であり（請求項７）、特にホースとともに昇降可能な吐水ヘッドと、これを保持するホルダとを含み、そしてその吐水ヘッドとともに昇降可能なスライド管が取付基体に固定の筒部内に摺動可能に挿通された形態の吐水部の取付けに適用して好適である（請求項８）。
【００３０】
【実施例】
次に本発明をシャワー水栓設備における吐水部の取付けに適用した場合の実施例を図面に基づいて詳しく説明する。
図１において、１０はシャワー水栓設備における吐水部で、１２はその取付基体としてのカウンターである。
カウンター１２は、吐水部１０の取付面１４及び裏面１６がそれぞれ水平面に対して傾斜しており、更にその後端には下向きに立ち下がる垂下部１８を有している。
【００３１】
吐水部１０は、ホルダ２０と、吐水ヘッドとしてのシャワーヘッド２２と、それらをカウンター１２に取り付けるための台座ユニット２４とを有している。
ホルダ２０は湾曲した管状をなしており、また吐水ヘッド２２は先端下面に吐水口２６を備え、更にその吐水口２６からの吐水を整流吐水からシャワー吐水に若しくはその逆に切り替えるための操作部２８を前面に備えている。
【００３２】
このシャワーヘッド２２には可撓性のホース３０が接続されており、シャワーヘッド２２はこのホース３０とともにホルダ２０から引出し可能とされている。
吐水部１０は、台座ユニット２４より上の部分が下降位置と上昇位置との間で昇降可能とされている。
【００３３】
そのホルダ２０からはスライド管３２が下向きに延び出しており、ホルダ２０及び吐水ヘッド２２がこのスライド管３２とともに昇降するようになっている。
上記ホース３０は、これらホルダ２０及びスライド管３２を挿通して延びており、シャワーヘッド２２とは反対側の他端が図示を省略する水栓本体に接続されている。
尚、スライド管３２の下端にはスライド管３２の抜け防止のためのストッパ３４が固設されている。
【００３４】
上記台座ユニット２４は、カウンター１２の表側に位置する台座（表側部材）３６と、裏側に位置するスペーサ（裏側部材）３８とを有しており、それらがカウンター１２を表裏両側から挟み付ける状態でカウンター１２に固定されている。
そしてこれら台座３６，スペーサ３８を含む台座ユニット２４によって、吐水部２０がほぼ垂直に起立する状態で、厳密にはホルダ２０の略中間部から下側部分がほぼ垂直に起立する状態でカウンター１２に取付固定されている。
【００３５】
尚、台座３６及びスペーサ３８はそれぞれの軸心に対してカウンター１６の傾斜角度に対応した角度で傾斜した着座面４０，４２をそれぞれ備えており、各々をカウンター１６の取付面１４，裏面１６に着座させる状態で固定されている。
【００３６】
図２に示しているように、スライド管３２は上端部に大径部４４を有しており、その大径部４４がホルダ２０にねじ結合されている。
詳しくは、大径部４４の外周面には雄ねじ４６が形成され、また一方ホルダ２０の内周面には雌ねじ４８が形成されていて、それら雄ねじ４６と雌ねじ４８とがねじ結合され、これによってスライド管３２がホルダ２０と一体に昇降するようになっている。
【００３７】
一方ホルダ２０の下側の台座３６には雄ねじ管５２がねじ結合されている。
詳しくは、台座３６にはその内周面に雌ねじ５４が形成され、その雌ねじ５４に対して雄ねじ管５２の外周面の雄ねじ５６が螺合されている。
【００３８】
雄ねじ管５２は、カウンター１２の取付孔６０を挿通して下向きに突き出しており、カウンター１２裏側においてその雄ねじ管５２に対し、筒状をなす上記スペーサ３８が外嵌された上、そのスペーサ３８の下側で、締付ナット５８が雄ねじ管５２に螺合されている。そしてこの締付ナット５８と台座３６とが、スペーサ３８を介してカウンター１２を表裏両側から挟み付けている。
上記スライド管３２はこの雄ねじ管５２内に挿通され、昇降時においてこの雄ねじ管５０内面を軸方向に摺動する。
【００３９】
上記スペーサ３８には、その上端に上向きに突出する第１ストッパ６２が一体に構成されており、その第１ストッパ６２が取付孔６０の内縁上端に当接し、スペーサ３８が裏面１６に沿って図中矢印方向にスライドするのを阻止するようになっている。
【００４０】
一方カウンター１２の上側においては、台座３６と取付面１４との間にシール用のパッキン６４が介装されている。
このパッキン６４は、上向きに立ち上がる嵌入部６６を備えており、それら嵌入部６６が、台座３６に設けられた空洞部６８（この空洞部６８は肉盗みのために設けられたものである）の内部に嵌入しており、パッキン６４が台座３６に対しスライド方向に固定状態とされている。
【００４１】
このパッキン６４にはまた、下向きに突出する第２ストッパ７０が設けられており、この第２ストッパ７０が、取付孔６０の内縁下端に当接し、台座３６が取付面１４に沿って図中矢印で示す下向きにスライドするのを阻止するようになっている。
【００４２】
本例の取付構造の場合、台座ユニット２４の取付けに際し雄ねじ管５０に対して締付ナット５８を締め込んだときに、その締付力に起因して、詳しくはその締付力の分力によってスペーサ３８が裏面１６に沿って矢印で示す上向きに、また台座３６が取付面１４に沿って矢印で示す下向きにスライド移動しようとするが、この例の取付構造ではスペーサ３８に第１ストッパ６２が設けられていて、その第１ストッパ６２が取付孔６０の内縁の上端に当接し、また台座３６に組付状態のパッキン６４の第２ストッパ７０が取付孔６０の内縁の下端にそれぞれ当接しているため、それらスペーサ３８及び台座３６のスライド移動が良好に防止される。
【００４３】
これによって台座ユニット２４を含む吐水部１０全体がカウンター１２に対し良好に取付固定され、またスライド管３２に対して無理な力が加わることもないので、シャワーヘッド２２及びホルダ２０をスライド管３２とともに昇降操作する際、これを円滑に行うことができる。
【００４４】
尚この例では第１ストッパ６２をスペーサ３８に一体に構成しているが、場合によりスペーサ３８に別体の部材を固定して、その別体の部材に第１ストッパ６２を設けるといったことも可能である。
或いはまた、台座３６とは別体の部材（パッキン６４）を台座３６に組付けて、その別体の部材であるパッキン６４に第２ストッパ７０を設けているが、図４に示しているように台座３６に第２ストッパ７０を一体構成で設けるといったことも可能である。
尚図４中８２は平パッキンである。
【００４５】
図５〜図６は本発明の他の実施例を示したものである。
この例ではスペーサ３８に水平方向に突出する第３ストッパ７４を設け、その第３ストッパ７４をカウンター１２における垂下部１８に対し当接させ、以ってスペーサ３８が裏面１６に沿ってスライド移動するのを阻止するようにしている。
尚他の点については上記実施例と同様である。
【００４６】
このようにした場合においても、雄ねじ管５２と締付ナット５８との締付力によってスペーサ３８が裏面１６に沿ってスライド移動するのを阻止することができ、従って吐水部２０を良好にカウンター１２に対して取付固定することができる。
【００４７】
次に図７及び図８は本発明の更に他の実施例を示したものである。
この例では、カウンター１２の裏面１６と取付面１４とのそれぞれに下向きの第４ストッパ７６及び上向きの第５ストッパ７８を一体に設け、それら第４ストッパ７６，第５ストッパ７８をそれぞれスペーサ３８の外面，台座３６の係合孔８０の内面に当接させ、以ってスペーサ３８，台座３６がカウンター１２の裏面１６に沿って、又は取付面１４に沿ってスライド移動するのを阻止するようになしたものである。
尚８２は平パッキンである。
このようにした場合においても、雄ねじ管５０と締付ナット５８との締付力で吐水部２０をカウンター１２に取付固定するに際しこれを良好に取付固定することができる。
【００４８】
尚、上記実施例では第４ストッパ７６をカウンター１２に一体に構成しているが、図９に示しているようにカウンター１２とは別体のストッパ部材８４を固定して、そのストッパ部材８４に第４ストッパ７６を形成するといったことも可能である。
或いはまた、場合によってカウンター１２の上面にストッパ部材を取り付けて、そのストッパ部材に第５ストッパ７８を形成するといったことも可能である。
【００４９】
図１０及び図１１は本発明の更に他の実施例を示したものである。
これらの図において、８６はカウンター１２の取付面１４側に配置された金属製（樹脂製であっても良い）のプレート状のストッパ部材であって、上向きに起立する嵌入部８８を有しており、それら嵌入部８８を台座３６の空洞部６８内に嵌入させる状態で台座３６に組み付けられている。
【００５０】
このストッパ部材８６はまた、取付孔６０を貫通して下向きに突き出す第６ストッパ９０を有しており、その第６ストッパ９０がカウンター１２下側のスペーサ３８の内面に嵌合している。即ちスペーサ３８に対しそのスライド方向に当接している。
【００５１】
この例の場合、台座３６とスペーサ３８とはそれらのスライド方向に互いに固定された状態となっており、従ってこの取付構造においても、雄ねじ管５２と締付ナット５８とを締め付けたとき、台座３６及びスペーサ３８がスライド移動せず、台座ユニット２４を、即ち吐水部２０をカウンター１２に対し良好に取り付けることができる。
【００５２】
尚この例では台座３６とは別体のストッパ部材８６を設けて、その別体のストッパ部材８６に第６ストッパ９０を設けているが、場合によって第６ストッパ９０を台座３６に一体に構成するといったことも可能である。
或いはまた逆に、スペーサ３８に第６ストッパ９０を上向きに一体に設け、その第６ストッパ９０を台座３６に対しスライド方向に当接させることで、台座３６及びスペーサ３８のスライド移動を阻止するようになすことも可能である。
更にはまた、上記例示したストッパ部材８６とは異なった形態のストッパ部材を設けて、そのストッパ部材により台座３６とスペーサ３８とをスライド方向に固定状態となすことも可能である。
【００５３】
図１２は本発明の更に他の実施例を示したものである。
この例はスペーサ３８に第７ストッパ９２を上向きに突出状態に且つ一体構成で設ける一方、台座３６に下向きの第８ストッパ９４を一体に設け、そしてそれらを互いのスライド方向に当接させるようになしたものである。
【００５４】
このようにした場合においても、雄ねじ管５０と締付ナット５８との締付時に台座３６及びスペーサ３８のスライド移動を良好に阻止することができる。
尚、図１２の例では第２ストッパ７０を有するパッキン６４を用いているが、パッキンとして平パッキンを用いることも可能である。
【００５５】
図１３の実施例は、スペーサ３８にこれとは別体をなすストッパ部材９６を設けてカウンター１２に固定し、そしてそのストッパ部材９６とスペーサ３８とを係合部９８によって係合状態とする一方、そのストッパ部材９６に第７ストッパ９２を上向きに突出状態で設け、これを台座３６側の下向きの第８ストッパ９４にスライド方向に当接させるようになした例である。
この場合においても台座３６とスペーサ３８とのスライド移動を良好に阻止することができる。
【００５６】
尚図１２及び図１３の実施例では、第８ストッパ９４を台座３６に一体に設けているが、場合によって別体のストッパ部材を台座３６に設けて、そのストッパ部材に第８ストッパ９４を設けるといったことも可能である。
【００５７】
以上本発明の実施例を詳述したがこれはあくまで一例示である。
例えば上記実施例を適宜組み合せて吐水部の取付けをなすことも可能であるし、また台座３６及びスペーサ３８の着座箇所においてカウンター１２の取付面１４及び裏面１６に浅い凹嵌合部を設けて、それらに嵌合する状態で台座３６及びスペーサ３８を着座させ、以ってそれらのスライド移動を阻止するようになすことも可能である。
【００５８】
更に本発明においては台座３６若しくはスペーサ３８の着座面４０，４２、又は取付面１４，裏面１６における台座３６若しくはスペーサ３８の接触面に滑り防止用の凹凸や食込み爪等を設けておくといったことも可能である。
【００５９】
また上記各実施例ではシャワー水栓設備における吐水部の取付けを例として説明したが、本発明はシャワー水栓設備における水栓本体の取付けに際して、或いは通常の水栓における吐水管や水栓本体の取付けに際して適用することも可能であるし、また水栓以外の各種物品、例えばタオル掛けとか手摺り，棚，浴槽の循環口等、その他の各種物品の取付けに際して適用することも可能であるなど、本発明はその主旨を逸脱しない範囲において種々変更を加えた形態で構成可能である。
【図面の簡単な説明】
【図１】  本発明の一実施例の取付構造を示す図である。
【図２】  図１の要部を拡大して示す断面図である。
【図３】  同じ実施例の取付構造を各部材に分解して示す図である。
【図４】  本発明の他の実施例の取付構造の要部断面図である。
【図５】  本発明の他の実施例の取付構造の要部断面図である。
【図６】  図５の取付構造を各部材に分解して示す図である。
【図７】  本発明の他の実施例の取付構造の要部断面図である。
【図８】  図７の取付構造を各部材に分解して示す図である。
【図９】  本発明の更に他の実施例の取付構造の要部断面図である。
【図１０】  本発明の更に他の実施例の取付構造の要部断面図である。
【図１１】  図１０の取付構造を各部材に分解して示す図である。
【図１２】  本発明の更に他の実施例の取付構造の要部を切り欠いて示す図である。
【図１３】  本発明の更に他の実施例の取付構造の要部を切り欠いて示す図である。
【図１４】  シャワー水栓設備における吐水部の従来の取付構造の一例を示す図である。
【図１５】  図１４の取付構造の要部を拡大して示す断面図である。
【図１６】  吐水部の従来の取付構造の図１４，図１５とは異なる例を示す図である。
【符号の説明】
１０  吐水部
１２  カウンター
２０  ホルダ
２２  シャワーヘッド
３０  ホース
３２  スライド管
３４  ストッパ
３６  台座（表側部材）
３８  スペーサ（裏側部材）
４０，４２  着座面
４６，５２  雄ねじ
４８，５４  雌ねじ
５２  雄ねじ管
５８  締付ナット
６０  取付孔
６２  第１ストッパ
７０  第２ストッパ
７４  第３ストッパ
７６  第４ストッパ
７８  第５ストッパ
８４，８６  ストッパ部材
９０  第６ストッパ
９２  第７ストッパ
９４  第８ストッパ
【図１】
0003865994.tif 000002
【図２】
0003865994.tif 000003
【図３】
0003865994.tif 000004
【図４】
0003865994.tif 000005
【図５】
0003865994.tif 000006
【図６】
0003865994.tif 000007
【図７】
0003865994.tif 000008
【図８】
0003865994.tif 000009
【図９】
0003865994.tif 000010
【図１０】
0003865994.tif 000011
【図１１】
0003865994.tif 000012
【図１２】
0003865994.tif 000013
【図１３】
0003865994.tif 000014
【図１４】
0003865994.tif 000015
【図１５】
0003865994.tif 000016
【図１６】
0003865994.tif 000017